(57)【要約】【課題】十字状のバンドを、１個のみで留め付けて梱包可能な梱包用バンド留め具を提供する。【解決手段】四角形の板状の本体３の４辺に係止孔１０を有する係止部四角形の板状の本体の４辺に係止孔を有する係止部４ａ、４ｂ、４ｃ、４ｄを突出形成し、それぞれの係止部４ａ、４ｂ、４ｃ、４ｄの一側部に折曲げ可能な係止片５ａ、５ｂ、５ｃ、５ｄを突出形成し、係止孔１０にバンドＢ１、Ｂ２の端部を下側から通し、係止孔１０の上部に折曲げた係止片５ａ、５ｂ、５ｃ、５ｄにバンドＢ１、Ｂ２の端部を巻き付けて係止孔１０に上側から通し、係止片５ａ、５ｂ、５ｃ、５ｄと係止部４ａ、４ｂ、４ｃ、４ｄにバンドＢ１、Ｂ２を係止させる。【選択図】図１
2015037948.tif 000002
【特許請求の範囲】
【請求項１】
四角形の板状の本体の４辺に係止孔を有する係止部を突出形成し、それぞれの係止部の一側部に折曲げ可能な係止片を突出形成し、前記係止孔にバンドの端部を下側から通し、前記係止孔の上部に折曲げた前記係止片に前記バンドの端部を巻き付けて前記係止孔に上側から通し、前記係止片と係止部にバンドを係止させた梱包用バンド留め具。
【発明の詳細な説明】
【技術分野】
【０００１】  本発明は、梱包用のＰＰバンドを締結する梱包用バンド留め具に関するものである。
【背景技術】
【０００２】  従来、梱包物を結束するためのバンド留め具（バックル）として、図７に記載のものが知られている。このバンド留め具２０は、合成樹脂製の四角形枠体２１の一辺に２本の係止片２２を突設した構成のものである。バンドＢを留めるには、それぞれの係止片２２を枠体２１の方向に折曲げてこれに梱包体２３を縛ったバンドＢの端部を巻き付けて、図８に示すようにバンドＢの端部を係止するようにしている。
【発明の概要】
【発明が解決しようとする課題】
【０００３】  上記の従来のバンド留め具２０は、１本のバンドを締結目的で開発されているので、１本のバンドを一方向に巻きつけて使用する場合にのみ使用可能であり、２本以上の複数のバンドを直角方向（十字状）に配置して梱包する場合はバンドの数に応じたバンド留め具が必要であった。【０００４】  一般に、正方形や矩形の箱状の物体をバンドで締結する場合は、直角に交叉するバンドで締結することが多く、その場合はバンドの数だけバックルと称されるバンド留め具が必要である。その場合、それぞれのバンド留め具は固定されていないため、ずれを生じるなど、作業上の問題も多い。また、多数の箱体の梱包を行う場合には大量のバンド留め具が必要となり、無駄な資源を費やすとともに、梱包の表面に２つのバンド留め具が露出するため梱包の見栄えも悪くなるという問題があった。【０００５】  本発明は、十字状に交叉するバンドを１個のみで留め付けて梱包することを可能とした梱包用バンド留め具を提供することを目的とする。
【課題を解決するための手段】
【０００６】  請求項１記載の発明は、四角形の板状の本体の４辺に係止孔を有する係止部を突出形成し、それぞれの係止部の一側部に折曲げ可能な係止片を突出形成し、前記係止孔にバンドの端部を下側から通し、前記係止孔の上部に折曲げた前記係止片に前記バンドの端部を巻き付けて前記係止孔に上側から通し、前記係止片と係止部にバンドを係止させた梱包用バンド留め具である。
【発明の効果】
【０００７】  本発明は、十字状に交叉するバンドを１個のみで留め付けて梱包することが可能となる。
【図面の簡単な説明】
【０００８】
【図１】本発明の梱包用バンド留め具を使用した梱包の平面図である。
【図２】本発明の梱包用バンド留め具の斜視図である。
【図３】バンド留め付けの操作の斜視図である。
【図４】続くバンド留め付けの操作の斜視図である。
【図５】バンド留め付け終了後の斜視図である。
【図６】図５のＡ−Ａ線断面図である。
【図７】バンド留め具の使用例を示す斜視図である。
【図８】従来のバンド留め具の斜視図である。
【図９】従来のバンド留め具の使用状態の斜視図である。
【発明を実施するための形態】
【０００９】  図１は本発明の梱包用バンド留め具１を使用した梱包の一例を示す平面図、図２はバンド留め具１の平面斜視図である。
【００１０】  １はバンド留め具、Ｂ１、Ｂ２は十字状に梱包体に巻きつけてバンド留め具で端部を留めたバンドである。バンドＢ１、Ｂ２はある程度の剛性と柔軟性を有した合成樹脂製のもの、すなわちＰＰバンドが使用される。
【００１１】  図２に示すように、バンド留め具１は厚さ１〜２ミリメータ程度の薄い合成樹脂で形成されたもので、中央部に正方形の穴２が形成された本体３の４辺の外側に突出した係止部４ａ、４ｂ、４ｃ、４ｄが形成され、この係止部４ａ、４ｂ、４ｃ、４ｄに長方形の係止孔１０が形成されている。この係止部４ａ、４ｂ、４ｃ、４ｄの一端部に、根元から折曲げ可能な細長い係止片５ａ、５ｂ、５ｃ、５ｄが形成されている。係止片５ａ、５ｂ、５ｃ、５ｄの根本部分及び先端部分に補強凸部６及び補強凸部７が形成されている。
【００１２】  図３〜図６にバンドＢ１をバンド留め具１に留める手順を示している。図３に示すように、バンドＢ１の端部を１つの係止部４ａの係止孔１０に下から通す。そして、図４に示すように、係止片５ａを根元から係止孔１０の上部に折曲げる。この折曲げ操作の途中でバンドＢ１の端部を係止片５ａに巻き付けるようにして係止孔１０に上から通す。
【００１３】  次いで、図５に示すように、バンドＢ１をバンド留め具１の本体３と平行方向に引っ張ると、バンドの端部は係止部４ａの係止孔１０の側縁と係止片５ａとの間に挟まれて強く係止され、抜けることがなくなる。図５に示すように、バンドＢ１の端部Ｂ１´は上側になり、図６に示すように下側のバンドＢ１を箱状の梱包体１１に巻き付ける。
【００１４】  バンドＢ１の反対側の端部をバンド留め具１の反対側の係止部４ｃ（図２参照）の係止孔１０に下から通し、同様にして反対側の係止部４ｃの係止孔１０と係止片５ｃに係止させることにより、図１に示すように、第１のバンドＢ１の両端がバンド留め具１で留め付けられて装着が完了する。
【００１５】  次いで第２のバンドＢ２を、第１のバンドＢ１を係止した係止部４ａ、４ｃと直交する方向の係止部４ｂ、４ｄの係止孔１０に通して同様の方法で留め付けると、図１に示すように第２のバンドＢ２が第１のバンドＢ１と交叉して十字状になるように装着される。このように、１個のバンド留め具１で第１のバンドＢ１と第２のバンドＢ２を十字状に留め付けることができる。
【００１６】  図７は、矩形箱状の梱包体１１を梱包した例であって、この例ではバンド留め具１を２個使用している。梱包体１１の形状に応じてバンド留め具の使用個数は任意に増減することができる。
【００１７】  本発明の梱包用バンド留め具は、バンドの交叉点に対して１個のみでよく、従来のように複数のバンド留め具を使用しないので、梱包用バンド留め具が相互にずれることがなくなり、梱包作業が容易になるとともに、多数の梱包を行う場合にもバンド留め具が少なくてすむ。また、梱包の箱の表面に１個の薄い梱包用バンド留め具１が露出するだけであるため梱包の見栄えもよい。なお、この梱包用バンド留め具はプラスチックの射出成型により安価に大量生産が可能である。
【符号の説明】
【００１８】１  バンド留め具
３  本体
４ａ、４ｂ、４ｃ、４ｄ  係止部
５ａ、５ｂ、５ｃ、５ｄ  係止片
１０  係止孔
１１  梱包体
Ｂ１  第１のバンド
Ｂ２  第２のバンド
【図１】
2015037948.tif 000003
【図２】
2015037948.tif 000004
【図３】
2015037948.tif 000005
【図４】
2015037948.tif 000006
【図５】
2015037948.tif 000007
【図６】
2015037948.tif 000008
【図７】
2015037948.tif 000009
【図８】
2015037948.tif 000010
【図９】
2015037948.tif 000011